(57)【要約】  本発明は、移動通信システムにおいて、ＭＢＭＳを支援するために必要な制御情報メッセージを効率良く送受信する方法を開示している。特に、本発明は、前記制御情報メッセージの細部情報要素を設定し、前記制御情報の伝送時に不要なシグナリングオーバーヘッドを減少させる方法を提案する。また、ユーザー端末が前記制御情報を受信するとき、不要な重複受信を防止してバッテリーの電力消耗を減少させる方法を提案する。
2007533246.tif 000002
【特許請求の範囲】
【請求項１】
ＭＢＭＳを提供する移動通信システムにおいて、前記ＭＢＭＳを支援するための制御情報を送信する方法であって、
前記ＭＢＭＳの変化を通知するためのＭＢＭＳ通知情報メッセージを生成するステップと、
前記ＭＢＭＳ通知情報メッセージを、前記ＭＢＭＳを提供できるセルに位置する少なくとも一つのＵＥに伝送するステップとを含み、
前記ＭＢＭＳ通知情報メッセージは、
ＭＢＭＳ識別子と、通知の理由を示す理由値と、前記ＭＢＭＳのための周波数情報と、前記ＭＢＭＳ通知情報メッセージの以後に伝送される制御情報メッセージを継続して受信するべきか否かを示す継続受信情報とを少なくとも含むことを特徴とする送信方法。
【請求項２】
ＭＢＭＳを提供する移動通信システムにおいて、前記ＭＢＭＳを支援するための制御情報を受信する方法であって、
前記ＭＢＭＳに対するＮＩを受信するステップと、
前記受信したＮＩが肯定である場合、現在フレームが所定のＭＰの開始時点に該当するか否かを判断するステップと、
前記現在フレームが前記ＭＰの開始時点に到達すれば、前記ＭＢＭＳの変化を通知するためのＭＢＭＳ通知情報メッセージを受信するステップと、
ここで、前記ＭＢＭＳ通知情報メッセージは、ＭＢＭＳ識別子と、通知の理由を示す理由値と、前記ＭＢＭＳのための周波数情報と、前記ＭＢＭＳ通知情報メッセージの以後に伝送される制御情報メッセージを継続して受信すべきか否かを示す継続受信情報とを少なくとも含み、
前記ＭＢＭＳ通知情報メッセージの前記理由値を確認して、前記理由値に従う作業を遂行するステップとを含むことを特徴とする受信方法。
【請求項３】
前記理由値が、前記ＭＢＭＳの一対多(PtM)無線ベアラ(RB)変更である場合、前記ＭＢＭＳのＲＢをＰｔＭ ＲＢに変更するステップと、
前記理由値が、前記ＭＢＭＳの一対多(PtM)無線ベアラ(RB)リリースである場合、前記ＭＢＭＳのＰｔＭ ＲＢをリリースするステップと、
前記理由値が、前記ＰｔＭ ＲＢ変更であるが、前記ＰｔＭ ＲＢリリースでない場合、前記ＭＢＭＳ通知情報メッセージの周波数情報と、前記継続受信情報とを確認するステップとをさらに含むことを特徴とする、請求項２に記載の受信方法。
【請求項４】
前記継続受信情報が、以後の制御情報メッセージを継続して受信することを示す場合、現在セル内で提供されたり提供され得る少なくとも一つのＭＢＭＳに対する制御情報を含むＭＢＭＳサービスリストメッセージと、現在セル内で提供されるＭＢＭＳに使用される無線ベアラ、物理チャンネル及びトランスポートチャンネルに対して共通された制御情報を含むＭＢＭＳ共通無線ベアラ(RB)情報メッセージと、前記現在セル及び周辺セルで提供されるＭＢＭＳに対する制御情報を含むＭＢＭＳ一対多(PtM)無線ベアラ(RB)情報メッセージとの少なくとも一つを受信するステップをさらに含むことを特徴とする、請求項３に記載の受信方法。
【請求項５】
ＭＢＭＳを提供する移動通信システムにおいて、前記ＭＢＭＳを支援するための制御情報を送信する方法であって、
現在セル内で提供されたり提供され得る少なくとも一つのＭＢＭＳに対する制御情報を含むＭＢＭＳサービスリストメッセージを生成するステップと、
前記ＭＢＭＳサービスリストメッセージを、前記現在セルに位置している少なくとも一つのＵＥに伝送するステップとを含み、
前記ＭＢＭＳサービスリストメッセージは、
ＭＢＭＳ識別子と、該当ＭＢＭＳの伝送形態を示す情報と、当該ＭＢＭＳのための周波数情報とを少なくとも含むことを特徴とする送信方法。
【請求項６】
ＭＢＭＳを提供する移動通信システムにおいて、前記ＭＢＭＳを支援するための制御情報を受信する方法であって、
現在セル内で提供されたり提供され得る少なくとも一つのＭＢＭＳに対する制御情報を含むＭＢＭＳサービスリストメッセージを受信する必要が発生する場合、現在フレームがＲＰの開始時点に該当するか否かを判断するステップと、
現在フレームが前記ＲＰの開始時点に到達すれば、前記ＭＢＭＳサービスリストメッセージを受信するステップと、
ここで、前記ＭＢＭＳサービスリストメッセージは、ＭＢＭＳ識別子と、当該ＭＢＭＳの伝送形態を示す情報と、当該ＭＢＭＳのための周波数情報とを少なくとも含み、
前記ＭＢＭＳサービスリストメッセージに、参加したＭＢＭＳの識別子があるか否かを確認するステップと、
前記ＭＢＭＳサービスリストメッセージに、参加したＭＢＭＳの識別子がある場合、前記参加したＭＢＭＳの伝送形態を確認するステップと、
前記参加したＭＢＭＳの伝送形態が、一対多(PtM)か、一対一(PtP)か、無線ベアラ(RB)なし(no RB)かに従い、前記参加したＭＢＭＳを受信するための作業を遂行するステップと、を含むことを特徴とする受信方法。
【請求項７】
前記伝送形態が、前記ＰｔＭである場合、或いは、前記Ｐｔｍ、ＰｔＰ、ｎｏ ＲＢの何れも認知されない場合、前記ＭＢＭＳサービスリストメッセージから前記周波数情報を確認するステップをさらに含むことを特徴とする、請求項６に記載の受信方法。
【請求項８】
ＭＢＭＳを提供する移動通信システムにおいて、前記ＭＢＭＳを支援するための制御情報を送信する方法であって、
現在セル内で提供されるＭＢＭＳに使用される無線ベアラ、物理チャンネル及びトランスポートチャンネルに対して共通された制御情報を含むＭＢＭＳ共通無線ベアラ(RB)情報メッセージを生成するステップと、
前記ＭＢＭＳ共通ＲＢ情報メッセージを、前記現在セルに位置している少なくとも一つのＵＥに伝送するステップとを含み、
前記ＭＢＭＳ共通ＲＢ情報メッセージは、
前記ＭＢＭＳが共通的に使用するＲＢに対するＲＢ情報リストと、トランスポートチャンネル情報と、物理チャンネル情報とを少なくとも含むことを特徴とする送信方法。
【請求項９】
ＭＢＭＳを提供する移動通信システムにおいて、前記ＭＢＭＳを支援するための制御情報を受信する方法であって、
現在セル内で提供されるＭＢＭＳに使用される無線ベアラ、物理チャンネル及びトランスポートチャンネルに対して共通された制御情報を含むＭＢＭＳ共通無線ベアラ(RB)情報メッセージを受信する必要が発生する場合、前記ＭＢＭＳ共通ＲＢ情報メッセージを受信するステップと、
前記ＭＢＭＳ共通ＲＢ情報メッセージは、前記ＭＢＭＳが共通的に使用するＲＢに対するＲＢ情報リストと、トランスポートチャンネル情報と、物理チャンネル情報とを少なくとも含み、
前記ＭＢＭＳ共通ＲＢ情報メッセージに含まれている前記ＲＢ情報リストと、前記トランスポートチャンネル情報と、前記物理チャンネル情報とを獲得するステップと、を含むことを特徴とする受信方法。
【請求項１０】
ＭＢＭＳを提供する移動通信システムにおいて、前記ＭＢＭＳを支援するための制御情報を送信する方法であって、
現在セル及び周辺セルで提供されているＭＢＭＳに対する制御情報を含むＭＢＭＳサービス一対多(PtM)無線ベアラ(RB)情報メッセージを生成するステップと、
前記ＭＢＭＳサービスＰｔＭ ＲＢ情報メッセージを、前記現在セルに位置している少なくとも一つのＵＥに伝送するステップとを含み、
前記ＭＢＭＳサービスＰｔＭ ＲＢ情報メッセージは、
前記現在セルで提供されるＭＢＭＳに使用するＲＢに対するＲＢ情報リスト、トランスポートチャンネル情報及び物理チャンネル情報を含む現在セルＲＢ情報と、前記周辺セルで提供されるＭＢＭＳに使用するＲＢに対するＲＢ情報リスト、トランスポートチャンネル情報及び物理チャンネル情報を含む周辺セルＲＢ情報とを少なくとも含むことを特徴とする送信方法。
【請求項１１】
ＭＢＭＳを提供する移動通信システムにおいて、前記ＭＢＭＳを支援するための制御情報を受信する方法であって、
ＭＢＭＳの変化を通知するためのＭＢＭＳ通知情報メッセージを受信し、前記ＭＢＭＳ通知情報メッセージにより、現在セル及び周辺セルで提供されているＭＢＭＳに対する制御情報を含むＭＢＭＳサービス一対多(PtM)無線ベアラ(RB)情報メッセージを受信するステップと、
前記ＭＢＭＳサービスＰｔＭ ＲＢ情報メッセージに、参加したＭＢＭＳのＲＢ情報があるか否かを確認するステップと、
前記参加したＭＢＭＳのＲＢ情報がある場合、前記ＭＢＭＳサービスＰｔＭ ＲＢ情報メッセージから前記参加したＭＢＭＳに対する前記現在セル及び前記周辺セルの制御情報を獲得するステップとを含むことを特徴とする受信方法。
【請求項１２】
前記ＭＢＭＳサービスＰｔＭ ＲＢ情報メッセージに、前記参加したＭＢＭＳの識別子が含まれている場合、前記ＲＢ情報があると判断することを特徴とする、請求項１１に記載の受信方法。
【発明の詳細な説明】
【技術分野】
【０００１】
本発明はマルチメディア放送／マルチキャストサービス(ＭＢＭＳ)を支援する移動通信システムに関し、特に、ＭＢＭＳのための制御情報を効率よく伝送する方法に関する。
【背景技術】
【０００２】
最近、通信技術の発達に伴い、移動通信システムで提供するサービスは、従来の音声サービスだけでなく、パケットデータやサーキットデータなどのような大容量のデータを伝送するパケットサービス通信と、マルチメディアサービスを伝送するマルチメディア放送／通信とに発展されつつある。マルチメディア放送／通信を支援するために、一つ又は複数のマルチメディアデータソースから複数のユーザー端末(User Equipment；以下、「ＵＥ」と称する。)にサービスを提供するマルチメディア放送／マルチキャストサービス(Multimedia Broadcast/Multicast Service；以下、「ＭＢＭＳ」と称する。)が論議されている。
【０００３】
ＭＢＭＳは、無線ネットワークを介して同一のマルチメディアデータを複数の受信者に伝送するサービスのことである。このようなＭＢＭＳは、複数の受信者が一つの無線チャンネルを共有するようにすることで、無線伝送資源を節約することができる。ＭＢＭＳは、リアルタイム映像及び音声、停止画、文字などのマルチメディアデータの伝送形態を支援し、マルチメディアデータの伝送形態によって音声データと映像データとを同時に提供できるサービスであって、大量の伝送資源を要求する。ＭＢＭＳの場合は、ユーザーが位置している複数のセルに同一のデータを伝送すべきなので、各セル別に位置しているユーザーの数によって、一対一(Point to Point；以下、「ＰｔＰ」と 称する。)又は一対多(Point to Multipoint；以下、「ＰｔＭ」と称する。)の接続が行われる。すなわち、ＰｔＰ接続は、各ＵＥ別に所望のＭＢＭＳを提供するもので、割り当てられた専用チャンネルを介してサービスが提供される。一方、ＰｔＭ接続は、同一のＭＢＭＳを要請した複数のＵＥに対して共通チャンネルを割り当て、この共通チャンネルを介してＭＢＭＳが提供される。
【０００４】
以下、第３世代の非同期移動通信ネットワークの標準である３ＧＰＰ(３rd Generation Project Partnership)を例として、移動通信ネットワークについて説明する。
図１は、３ＧＰＰ移動通信ネットワークにおけるＭＢＭＳを支援するノードを概略的に示す図である。
図１によれば、ＣＮ(Core Network)１００は、ＭＢＭＳの供給と、ＵＴＲＡＮ(UMTS Radio Access Network)１１０までのＭＢＭＳデータ伝送と、ＵＥ(１２０、１２１、１２２)の認証とを遂行する。ＵＴＲＡＮ(１１０)は、ＣＮ(１００)とＵＥ(１２０、１２１、１２２)とを連結させる役割をし、ＭＢＭＳの伝送のための有無線資源の割り当て及び管理を遂行する。ＵＴＲＡＮ(１１０)は、少なくとも一つの無線ネットワーク制御機(Radio Network Controller；以下、「ＲＮＣ」と称する。)１１１と、少なくとも一つの基地局(以下、「ｎｏｄｅ Ｂ」と称する。)１１２とからなり、ＲＮＣ(１１１)は複数のｎｏｄｅ Ｂを制御することができる。ここで、ｎｏｄｅ Ｂ(１１２)を含んで複数のｎｏｄｅ Ｂは各々複数のセルからなる。セルは、無線通信ネットワークにおいて最も基本的な通信領域であり、各セルは周波数又は位置によって区別できる。
【０００５】
ＵＥ#１(１２０)、ＵＥ#２(１２１)及びＵＥ#ｎ(１２２)は、ＭＢＭＳを受信できるユーザー端末であって、各セルには複数のＵＥが存在し得る。ここで、ＭＢＭＳの基本サービス単位はセルであり、セルの無線環境及びＭＢＭＳを受信するＵＥの数を考慮して、ＰｔＰ方式又はＰｔＭ方式のチャンネル形態に提供される。このために、ＭＢＭＳの形態を決定するためのＵＥの数を把握するカウンティング(Counting)が遂行される。
【０００６】
ＭＢＭＳのためには、基本的なＭＢＭＳのデータだけでなく、ＭＢＭＳに関する情報、ＭＢＭＳのデータが伝送されるチャンネルに関する情報、ＭＢＭＳの開始を報知する情報、ＭＢＭＳのデータの伝送中の伝送形式の変化に関する情報、及び周辺セルでＭＢＭＳをサービス中のときの周辺セルに関する情報、現在セルでサービスしているＭＢＭＳに関する情報などを含む複数の制御情報メッセージが伝送される。
【０００７】
図２は、本発明が適用される現在３ＧＰＰで定義されたＵＴＲＡＮの上位階層の詳細構造及び各階層間のチャンネルを示す。
図２によれば、ＵＴＲＡＮで処理される上位階層のメッセージは、制御シグナルとユーザーデータとに大別される。
【０００８】
Ｃ−Ｐｌａｉｎ(Control Plain)シグナル２０１と、Ｕ−Ｐｌａｉｎ(User Plain)情報２０２とが開示される。Ｃ−Ｐｌａｉｎシグナル２０１及びＵ−Ｐｌａｉｎ情報２０２は、ＮＡＳ(Non Access Stratum)メッセージであるが、ＮＡＳメッセージは、ＵＥとＵＴＲＡＮとの間の無線接続に使用されないため、ＵＴＲＡＮがその内容を分かる必要がないメッセージである。ＮＡＳとは異なり、ＵＴＲＡＮ及びＵＥの無線接続に直接使用されるメッセージは、ＡＳ(Access Stratum)メッセージといい、図２の無線資源制御部(Radio Resource Control；以下「ＲＲＣ」と称する。)２０３の下で使用される制御シグナルを示す。
【０００９】
ＲＲＣ(２０３)は、ＵＥ及びＵＴＲＡＮの接続に関係する物理階層(Physical Layer；以下、「Ｌ１」と称する。)２１０と、階層２の媒体接続制御部(Medium Access Control；以下、「Ｌ２／ＭＡＣ」と称する。)２０８と、無線リンク制御部(Radio Link Control；以下、「Ｌ２／ＲＬＣ」と称する。)２０６と、パケットデータコンバージェンスプロトコル部(Packet Data Convergency Protocol；以下、「Ｌ２／ＰＤＣＰ」と称する。)２０４と、放送／多重放送制御部(Broadcast/Multicast control；以下「Ｌ２／ＢＭＣ」と称する。)２０５とを制御することで、ＵＥとＵＴＲＡＮとの間の物理呼設定、論理呼設定、制御情報送受信、測定データ送受信などのＵＥとＵＴＲＡＮとの間の接続に関する全てを制御する。
【００１０】
Ｌ２／ＰＤＣＰ(２０４)は、ＮＡＳ階層のＵ−Ｐｌａｉｎ情報２０２を受信して、適切なプロトコルを使用して加工した後、Ｌ２／ＲＬＣ(２０６)に伝送する。Ｌ２／ＢＭＣ(２０５)は、放送及び多重放送に必要なデータを受信して、適切なプロトコルを使用して加工した後、Ｌ２／ＲＬＣ(２０６)に伝送する。
【００１１】
Ｌ２／ＲＬＣ(２０６)は、ＲＲＣ(２０３)から出力される制御メッセージを受信して、制御メッセージの特性を考慮してＲＬＣ＃１(２６１)及びＲＬＣ＃ｍ(２６２)で適切な形態に加工した後、論理チャンネル(Logical channels)２０７を介してＬ２／ＭＡＣ(２０８)に伝送する。また、Ｌ２/ＲＬＣ(２０６)は、ＬＣ／ＰＤＣＰ(２０４)及びＬ２／ＢＭＣ(２０５)からデータを受信して、ＲＬＣ＃１(２６３)及びＲＬＣ＃ｎ(２６４)で適切な形態に加工した後、論理チャンネル２０７を介してＬ２／ＭＡＣ(２０８)に伝送する。Ｌ２／ＲＬＣ(２０６)に含まれるＲＬＣ個体２６１〜２６４の個数は、ＵＥとＵＴＲＡＮとの間に使用される論理チャンネル２０７の種類、数及び無線リンク数によって決定される。
【００１２】
論理チャンネル２０７は、特定ＵＥに対するものか、或いは、複数のＵＥに対することかに従う専用／共用タイプと、メッセージの特性に従う制御／トラフィックタイプとに大別される。
【００１３】
下記の表１は、３ＧＰＰ標準で使用される論理チャンネル２０７の種類及び役割を例示している。
【表１】
2007533246.tif 000003
【００１４】
図２のＬ２／ＭＡＣ(２０８)は、ＲＲＣ(２０３)の制御により、ＵＥとＵＴＲＡＮとの間の無線資源を管理し、ＵＥとＵＴＲＡＮとの間の接続を管理し、また、Ｌ２／ＲＬＣ(２０６)から論理チャンネルを介して受信したデータを、トランスポートチャンネル２０９にマッピングさせて、Ｌ１階層２１０に伝送する。
【００１５】
下記の表２では、３ＧＰＰ標準で使用されるトランスポートチャンネル２０９の種類、役割及び論理チャンネル２０７との対応関係を示す。
【表２】
2007533246.tif 000004
【００１６】
上記の表２で説明したトランスポートチャンネルの以外に、現在、３ＧＰＰでは、ＵＳＣＨ(Up-link Shared Channel)及びＣＰＣＨ(Common Packet Channel)のトランスポートチャンネルを含むことができる。
【００１７】
前述したように、図２のＬ１階層２１０に伝送されたトランスポートチャンネルのデータは、適切な処理により物理チャンネルにマッピングされ、ＵＥ又はＵＴＲＡＮに伝送される。
【００１８】
物理チャンネルは、ＢＣＨを伝送するＰ−ＣＣＰＣＨ(Primary Common control Physical channel)、ＰＣＨ及びＦＡＣＨを伝送するＳ−ＣＣＰＣＨ(Secondary Common Control Physical Channel)、ＤＣＨを伝送する転用物理チャンネル(Dedicated Physical Channel；以下、「ＤＣＨ」と称する。)、ＤＳＣＨを伝送するＰＤＳＣＨ(Physical Down-link Shared Channel)、ＨＳ−ＤＳＣＨを伝送するＨＳ−ＰＤＳＣＨ(High Speed Physical Down-link Shared Channel)及びＲＡＣＨを伝送するＰＲＡＣＨ(Physical Random Access Channel)がある。他には、パイロットチャンネル(Pilot Channel)、一次同期チャンネル(Primary Synchronization Channel)、二次同期チャンネル(Secondary Synchronization Channel)、ページング指示チャンネル(Paging Indicator channel)、獲得指示チャンネル(Acquisition Indicator Channel)及び物理共通パケットチャンネル(Physical Common Packet Channel)等がある。
【００１９】
また、３ＧＰＰでは、前述した論理チャンネルの以外に、ＭＢＭＳを支援するための論理チャンネルが定義されている。ＭＢＭＳの支援に従い、ＭＢＭＳデータが伝送されるＭＴＣＨ(MBMS Traffic Channel)と、ＭＢＭＳの受信に必要な制御情報が伝送されるＭＣＣＨ(MBMS Control Channel)との二つの論理チャンネルを新しく定義した。二つの論理チャンネルは、トランスポートチャンネルであるＦＡＣＨにマッピングされ、物理チャンネルであるＳ−ＣＣＰＣＨを介してＭＢＭＳを受信したいＵＥに伝送される。
【００２０】
ここで、制御情報は、ＭＢＭＳデータの伝送開始と終了、ＭＢＭＳデータが伝送される論理チャンネル、トランスポートチャンネル、物理チャンネルに関する情報、同一のＭＢＭＳをサービスしている周辺セルに関する情報、及び現在セルでサービスしているＭＢＭＳに関する情報を含むことができる。制御情報メッセージに必要なＩＥ(Information Element)は、各メッセージ別に定義されることができ、各メッセージ別に定義されたＩＥの用語は重複されることもできる。
【００２１】
前述したように、ＩＥの不要な重複を防止するためには、各制御情報メッセージ別に必要なＩＥを正確に定義し、各制御情報メッセージの用途に合うようにＩＥを適切に配列する方法が必要である。また、制御情報メッセージの数が多くなることにより、ＵＥがＭＢＭＳを受信のための制御情報の量が多くなり、ＵＥの移動性を支援するために周期的に防止できる制御情報メッセージがあるため、制御情報要素の重複受信を避けるようにする方法が必要である。また、ＵＥが制御情報メッセージの受信時、できる限り受信時間を短縮できる方法が必要である。
【発明の開示】
【発明が解決しようとする課題】
【００２２】
よって、本発明の目的は、ＭＢＭＳのために必要な制御情報メッセージを送受信する方法を提供することにある。
【００２３】
本発明の他の目的は、ＭＢＭＳのための制御情報メッセージの伝送時、シグナリングオーバーヘッドを最小化する方法を提供することにある。
【００２４】
本発明のさらに他の目的は、ＭＢＭＳのための制御情報メッセージの伝送時、効果的なスケジュールリング方法を提供することにある。
【００２５】
本発明のさらに他の目的は、ＭＢＭＳのための制御情報メッセージの受信時、同じ内容を持つ制御情報要素の重複受信を防止する方法を提供することにある。
【００２６】
本発明のさらに他の目的は、ＭＢＭＳのための制御情報メッセージの受信時、ＵＥの電力消耗を最小化できる方法を提供することにある。
【課題を解決するための手段】
【００２７】
前記目的を達成するために、本発明は、ＭＢＭＳを提供する移動通信システムにおいて、前記ＭＢＭＳを支援するための制御情報を送信する方法が提供され、この送信方法は、前記ＭＢＭＳの変化を通知するためのＭＢＭＳ通知情報メッセージを生成するステップと、前記ＭＢＭＳ通知情報メッセージを、前記ＭＢＭＳを提供できるセルに位置する少なくとも一つのＵＥに伝送するステップとを含み、前記ＭＢＭＳ通知情報メッセージは、ＭＢＭＳ識別子と、通知の理由を示す理由値と、前記ＭＢＭＳのための周波数情報と、前記ＭＢＭＳ通知情報メッセージの以後に伝送される制御情報メッセージを継続して受信するべきか否かを示す継続受信情報とを少なくとも含む。
【００２８】
また、本発明は、ＭＢＭＳを提供する移動通信システムにおいて、前記ＭＢＭＳを支援するための制御情報を受信する方法が提供され、この受信方法は、前記ＭＢＭＳに対するＮＩを受信するステップと、前記受信したＮＩが肯定である場合、現在フレームが所定のＭＰの開始時点に該当するか否かを判断するステップと、前記現在フレームが前記ＭＰの開始時点に到達すれば、前記ＭＢＭＳの変化を通知するためのＭＢＭＳ通知情報メッセージを受信するステップと、ここで、前記ＭＢＭＳ通知情報メッセージは、ＭＢＭＳ識別子と、通知の理由を示す理由値と、前記ＭＢＭＳのための周波数情報と、前記ＭＢＭＳ通知情報メッセージの以後に伝送される制御情報メッセージを継続して受信すべきか否かを示す継続受信情報とを少なくとも含み、前記ＭＢＭＳ通知情報メッセージの前記理由値を確認して、前記理由値に従う作業を遂行するステップとを含む。
【００２９】
また、本発明は、ＭＢＭＳを提供する移動通信システムにおいて、前記ＭＢＭＳを支援するための制御情報を送信する方法が提供され、この送信方法は、現在セル内で提供されたり提供され得る少なくとも一つのＭＢＭＳに対する制御情報を含むＭＢＭＳサービスリストメッセージを生成するステップと、前記ＭＢＭＳサービスリストメッセージを、前記現在セルに位置している少なくとも一つのＵＥに伝送するステップとを含み、前記ＭＢＭＳサービスリストメッセージは、ＭＢＭＳ識別子と、該当ＭＢＭＳの伝送形態を示す情報と、当該ＭＢＭＳのための周波数情報とを少なくとも含む。
【００３０】
また、本発明は、ＭＢＭＳを提供する移動通信システムにおいて、前記ＭＢＭＳを支援するための制御情報を受信する方法が提供され、この受信方法は、現在セル内で提供されたり提供され得る少なくとも一つのＭＢＭＳに対する制御情報を含むＭＢＭＳサービスリストメッセージを受信する必要が発生する場合、現在フレームがＲＰの開始時点に該当するか否かを判断するステップと、現在フレームが前記ＲＰの開始時点に到達すれば、前記ＭＢＭＳサービスリストメッセージを受信するステップと、ここで、前記ＭＢＭＳサービスリストメッセージは、ＭＢＭＳ識別子と、当該ＭＢＭＳの伝送形態を示す情報と、当該ＭＢＭＳのための周波数情報とを少なくとも含み、前記ＭＢＭＳサービスリストメッセージに、参加したＭＢＭＳの識別子があるか否かを確認するステップと、前記ＭＢＭＳサービスリストメッセージに、参加したＭＢＭＳの識別子がある場合、前記参加したＭＢＭＳの伝送形態を確認するステップと、前記参加したＭＢＭＳの伝送形態が、一対多(PtM)か、一対一(PtP)か、無線ベアラ(RB)なし(no RB)かに従い、前記参加したＭＢＭＳを受信するための作業を遂行するステップとを含む。
【００３１】
また、本発明は、ＭＢＭＳを提供する移動通信システムにおいて、前記ＭＢＭＳを支援するための制御情報を送信する方法が提供され、この送信方法は、現在セル内で提供されるＭＢＭＳに使用される無線ベアラ、物理チャンネル及びトランスポートチャンネルに対して共通された制御情報を含むＭＢＭＳ共通無線ベアラ(RB)情報メッセージを生成するステップと、前記ＭＢＭＳ共通ＲＢ情報メッセージを、前記現在セルに位置している少なくとも一つのＵＥに伝送するステップとを含み、前記ＭＢＭＳ共通ＲＢ情報メッセージは、前記ＭＢＭＳが共通的に使用するＲＢに対するＲＢ情報リストと、トランスポートチャンネル情報と、物理チャンネル情報とを少なくとも含む。
【００３２】
また、本発明は、ＭＢＭＳを提供する移動通信システムにおいて、前記ＭＢＭＳを支援するための制御情報を受信する方法が提供され、この受信方法は、現在セル内で提供されるＭＢＭＳに使用される無線ベアラ、物理チャンネル及びトランスポートチャンネルに対して共通された制御情報を含むＭＢＭＳ共通無線ベアラ(RB)情報メッセージを受信する必要が発生する場合、前記ＭＢＭＳ共通ＲＢ情報メッセージを受信するステップと、前記ＭＢＭＳ共通ＲＢ情報メッセージは、前記ＭＢＭＳが共通的に使用するＲＢに対するＲＢ情報リストと、トランスポートチャンネル情報と、物理チャンネル情報とを少なくとも含み、前記ＭＢＭＳ共通ＲＢ情報メッセージに含まれている前記ＲＢ情報リストと、前記トランスポートチャンネル情報と、前記物理チャンネル情報とを獲得するステップとを含む。
【００３３】
また、本発明は、ＭＢＭＳを提供する移動通信システムにおいて、前記ＭＢＭＳを支援するための制御情報を送信する方法が提供され、この送信方法は、現在セル及び周辺セルで提供されているＭＢＭＳに対する制御情報を含むＭＢＭＳサービス一対多(PtM)無線ベアラ(RB)情報メッセージを生成するステップと、前記ＭＢＭＳサービスＰｔＭ ＲＢ情報メッセージを、前記現在セルに位置している少なくとも一つのＵＥに伝送するステップとを含み、前記ＭＢＭＳサービスＰｔＭ ＲＢ情報メッセージは、前記現在セルで提供されるＭＢＭＳに使用するＲＢに対するＲＢ情報リスト、トランスポートチャンネル情報及び物理チャンネル情報を含む現在セルＲＢ情報と、前記周辺セルで提供されるＭＢＭＳに使用するＲＢに対するＲＢ情報リスト、トランスポートチャンネル情報及び物理チャンネル情報を含む周辺セルＲＢ情報とを少なくとも含む。
【００３４】
また、本発明は、ＭＢＭＳを提供する移動通信システムにおいて、前記ＭＢＭＳを支援するための制御情報を受信する方法が提供され、この受信方法は、ＭＢＭＳの変化を通知するためのＭＢＭＳ通知情報メッセージを受信し、前記ＭＢＭＳ通知情報メッセージにより、現在セル及び周辺セルで提供されているＭＢＭＳに対する制御情報を含むＭＢＭＳサービス一対多(PtM)無線ベアラ(RB)情報メッセージを受信するステップと、前記ＭＢＭＳサービスＰｔＭ ＲＢ情報メッセージに、参加したＭＢＭＳのＲＢ情報があるか否かを確認するステップと、前記参加したＭＢＭＳのＲＢ情報がある場合、前記ＭＢＭＳサービスＰｔＭ ＲＢ情報メッセージから前記参加したＭＢＭＳに対する前記現在セル及び前記周辺セルの制御情報を獲得するステップとを含む。
【発明の効果】
【００３５】
本発明は、ＭＣＣＨを介して伝送される制御情報を定義し、定義された制御情報メッセージが伝送されるとき、シグナリングオーバーヘッドを最小化できる方法を提供する。また、本発明は、伝送の前に制御情報メッセージを効率良くスケジューリングして伝送する方法を提供する。よって、ＵＥが制御情報メッセージを受信するとき、同一の情報要素を不要に重複受信するのを防止でき、ＭＣＣＨが継続して受信されるのを防止することで、ＵＥの電力消耗を最小化できる。
【発明を実施するための最良の形態】
【００３６】
以下、本発明の好適な実施形態について添付図面を参照しながら詳細に説明する。なお、下記の説明において、本発明の要旨のみを明瞭にするために、公知の機能や構成についての具体的な説明は適宜省略する。
【００３７】
ＭＢＭＳのために必要な制御情報は、下記の通りである。
１．ＭＢＭＳの全体に対するシステム情報
２．ＭＣＣＨを介して伝送される制御情報の伝送開始時点と繰返し周期
３．ＰｔＭ形態でＭＢＭＳデータを伝送するＭＴＣＨに関するチャンネル情報(論理チャンネル情報、トランスポートチャンネル情報、物理チャンネル情報)
４．ＭＴＣＨを介して伝送されるＭＢＭＳに関する情報(例えば、ＭＢＭＳ識別子)
５．ＵＥの移動性のために、現在セル内でサービス中であったり、サービス可能なＭＢＭＳのリスト
６．ＵＥのＭＢＭＳデータ受信性能を高めるために使用するＳＣ(Selective Combining)を支援するための周辺セルのＭＢＭＳ情報
７．ＭＴＣＨを介して伝送されるＭＢＭＳデータの不連続伝送方法を支援するためのＭＢＭＳデータの伝送スケジュールリング情報
８．ＭＢＭＳを受信できる周波数帯域を報知する情報
【００３８】
前述した情報の以外の制御情報を追加に定義することができる。ここで、ＭＢＭＳを受信したいＵＥに制御情報が提供される経路は２種類があるが、制御情報の性格によって使用される経路が異なることになる。
【００３９】
第一は、ＢＣＨを介して制御情報を伝送する方法である。ＢＣＨを介して伝送することができる制御情報は、ＭＢＭＳの全体に関するシステム情報を含むことができる。システム情報は、ＭＢＭＳのデータ伝送と開始に関する制御情報があることを報知するＮＩＣＨ(Notification Indicator Channel)情報、ＭＣＣＨが伝送されるＦＡＣＨ及びＳ−ＣＣＰＣＨに関する情報、ＭＣＣＨを介して伝送される制御情報の繰返し周期などを含むことができる。繰返し周期は、ＭＰ(Modification Period)、ＲＰ(Repetition Period)及びＡＩＰ(Access Info Period)の３つに定義されることができる。周期についての詳細な説明は、下記図４で提示する。
【００４０】
第二は、ＭＢＭＳのための制御情報の伝送を担当するＭＣＣＨを介して制御情報を伝送する方法である。ＭＣＣＨを介して伝送することができる制御情報は、上記の必要な制御情報項目３〜８になり得る。すなわち、ＵＥはＢＣＨを介して受信した制御情報項目1と２を参照して、ＭＣＣＨを介して制御情報項目３〜８を受信する。このとき、制御情報項目をＭＣＣＨを介して伝送する時、いくつかの細部情報は重複して伝送されることもできる。例えば、特定ＭＢＭＳがセル内で有効であることを報知するためには、ＭＢＭＳに対する識別子を伝送すべきである。ＭＢＭＳのチャンネル形態及びＭＢＭＳが伝送されるチャンネルに関する情報を報知するためにも、ＭＢＭＳに対する識別子が必要である。
【００４１】
後述する本発明の実施形態では、ＭＢＭＳに必要な制御情報メッセージを定義し、制御情報メッセージのＩＥが重複して伝送されることを防止するために、下記の制御情報メッセージフォーマットを提案する。本発明の実施形態で提案するＭＣＣＨを介して伝送される制御情報メッセージは、下記の通りである。
【００４２】
１．MBMS Notification Info.メッセージ：ＭＢＭＳデータの基本伝送単位であるセッションの開始及び終了を報知する制御シグナルメッセージである。ＭＢＭＳの変化に対する通知を遂行する場合に使用され、MBMS Modified Service Info.メッセージとも称する。ＭＢＭＳデータの伝送形態を決定するために、セル内のＵＥの数を確認する作業であるカウンティングにも使用さることができる。
【００４３】
２．MBMS SERVICE LISTメッセージ：現在セル内にサービス中であったり、サービス可能なＭＢＭＳに関するリストを提供する制御シグナルメッセージである。現在セル内で電源をオンしたＵＥ或いは他のセルから移動してきたＵＥに、可能なＭＢＭＳについて報知する役割を遂行し、ＭＢＭＳの変化しない制御情報に関する通知に使用されるため、MBMS Unmodified Service Info.メッセージとも称する。
【００４４】
３．MBMS COMMON RB Info.メッセージ：現在セル内にサービス中であるＭＢＭＳが使用するＲＢ(Radio Bearer)、物理チャンネル及びトランスポートチャンネルの共通された細部情報項目をＵＥに報知する制御情報メッセージであって、MBMS Common PtM RB Info.メッセージとも称する。MBMS Common RB Info.メッセージは、選択的に周辺セルに伝送されるＭＢＭＳのＲＢ情報を含むことができる。周辺セルに関する情報は、ＳＣ(selective combining)に有用に使用されることができる。
【００４５】
４．MBMS SERVICE PtM RB Info.メッセージ：現在セル内でＰｔＭに基づいてサービスされる特定ＭＢＭＳに関する全ての細部情報をＵＥに伝送する制御情報メッセージであって、新しいＭＢＭＳデータの伝送時、ＭＢＭＳが周辺セルで行っている場合、MBMS SERVICE PtM RB Info.メッセージは周辺セル情報も含むことができる。ここで、現在セルに関する情報部分をMBMS Current Cell PtM RB Info.メッセージと称し、周辺セルに関する情報部分を MBMS Neighbouring Cell PtM RB Info.メッセージと称する。ＵＴＲＡＮは、複数のMBMS SERVICE PtM RB Info.メッセージのうち、最初に受信すべきMBMS SERVICE PtM RB Info.メッセージを優先的に伝送する。
【００４６】
下記の表３〜表６は、前述した制御情報メッセージに対し、本発明の説明のために必要なＩＥを示すもので、本発明で新しく定義されたＩＥは、アンダーライン及び太い文字で表現する。下記において、Information element/Group nameはＩＥ名及びＩＥが属しているグループ名を示し、NeedはＩＥが必ず必要か(ＭＰ)、選択的(ＯＰ)に使用されるかを示す。MultiはＩＥの数が一つか複数かを示す。Type and referenceはＩＥが表現される形式を示すが、一例として、ビット表現(Bit String)、８進数表現(Octet)、整数表現(integer)等がある。Semantics descriptionは、ＩＥがどのような意味を持つか、ＩＥが使用される場合にどのような役割をするか、ＩＥが使用されない場合にどのようなことが発生するかについて説明した部分である。また、下記では、本発明の実施形態によってできる限り全てのＩＥを示したが、システム設計者の選択により、一部のＩＥが省略されたり、言及しないＩＥが追加されることもできる。
【００４７】
まず、下記の表３は、MBMS Notification Info.メッセージに対する構成の一例及び各ＩＥに関する説明である。
【表３】
2007533246.tif 000005
2007533246.tif 000006
2007533246.tif 000007
【００４８】
下記の表４は、MBMS Service Listメッセージに対する構成の一例である。
【表４】
2007533246.tif 000008
2007533246.tif 000009
【００４９】
下記の表５は、MBMS COMMON RB INFOメッセージに対する一例である。
【表５】
2007533246.tif 000010
2007533246.tif 000011
2007533246.tif 000012
【００５０】
下記の表６は、MBMS SERVICE PtM RB INFOメッセージに対する一例である。
【表６】
2007533246.tif 000013
2007533246.tif 000014
2007533246.tif 000015
2007533246.tif 000016
2007533246.tif 000017
【００５１】
図３は、ＭＣＣＨを介して伝送される制御情報の伝送時点及び伝送周期を示す図であり、図４は、表３〜表６により提示されたメッセージの伝送及びスケジュールリングに対する一例を示す図である。
【００５２】
図３によれば、ＭＣＣＨ(３０１)は、ＭＢＭＳを支援するための多様な制御情報メッセージを伝送する。制御情報メッセージは、ＭＢＭＳの開始／終了及びＭＢＭＳに対する変化をＵＥに報知するために伝送される情報を含む。また、移動通信システムにおけるＵＥの移動により、ＭＢＭＳの連続性を保証するために周期的に繰返される制御情報を含む。まず、ＭＰ(Modification Period)３０４は、周期的に繰返される制御情報の内容が変化しない状態にある周期を示す。すなわち、ＭＰ(３０４)の間は制御情報の内容が変化しない。ＲＰ(Repetition Period)３０３は、同一の制御情報が繰返して伝送される区間であって、ＭＰ(３０４)は複数のＲＰ(３０３)からなることができる。ＡＩＰ(Access Information Period)３０２は、ＭＢＭＳの伝送形式を決定するためのカウンティングが遂行される場合に使用される周期であって、ＡＩＰ(３０２)区間ごとにカウンティングを遂行するためのＲＡＣＨ獲得確率が変化することになる。ＲＡＣＨ獲得確率は、一度に多くのＵＥのＲＡＣＨ獲得による衝突が発生しないようにするために使用される値である。ＲＡＣＨ獲得確率は、前述したMBMS Notification info.メッセージを介して伝送されることができるが、同一のMBMS Notification info.メッセージが複数のＲＰ(３０３)区間の間繰返されると、ＡＩＰ(３０２)はＲＰ(３０３)の長さと同一になる。
【００５３】
図４は、本発明で提案したＭＣＣＨを介して伝送されるメッセージが、図３で説明したＲＰ及びＭＰによって伝送される一例を示す図である。
図４によれば、ＭＰは、参照符号４０３に示すように２５６の長さを有し、ＲＰは、参照符号４０２に示すように６４の長さを有する。２５６は３ＧＰＰで無線通信伝送の基本単位として使用する１０ｍｓ無線フレーム２５６個の長さを意味する。６４は１０ｍｓ無線フレーム６４個の長さを意味する。また、３ＧＰＰシステムでは１０ｍｓ単位に時間を区別するためにＳＦＮ(System Frame Number)を使用し、ＳＦＮは０〜４０９１の値を有する。
【００５４】
図４の符号において、４１０は、４０１に示すＭＣＣＨの区間を拡大して示すものである。４１２は、MBMS Notification Info.メッセージを示し、ＭＰの開始時点で伝送される。４１１は、特定ＭＢＭＳに対するMBMS SERVICE PtM RB Infoメッセージを示し、このメッセージはＭＰの開始時点で伝送されたり、MBMS Notification Info.メッセージ４１２の直後に伝送されたり、ＭＣＣＨの伝送速度が速い場合にMBMS Notification Info.メッセージ４１２と共に伝送されたりできる。４１３は、MBMS Service Listメッセージを示し、現在セル内でサービスされたり、サービス可能な全てのMBMSに対するリストを持っており、ＵＥの移動によるＭＢＭＳの連続性を保証する。ＭＢＭＳを受信中であったり、或いは、受信したいＵＥは、MBMS Notification Info.メッセージ４１２及びMBMS Service Listメッセージ４１３を介してCommon RB value tagを受信し、受信されたCommon RB value tagとＵＥが現在格納しているCommon RB value tagとの値が異なる場合、MBMS Common RB Infoメッセージ４１５を受信する。４１４は、他のＭＢＭＳに対するPtM RB情報を持つMBMS SERVICE PtM RB infoメッセージを示す。
【００５５】
また、４１６〜４２０は、４１１〜４１５とそれぞれ同様な制御情報メッセージである。同図に示すように、制御情報メッセージはＲＰ(４０２)ごとに繰返される。制御情報メッセージは、ＭＣＣＨの伝送速度が非常に速い場合には一挙に送ることができ、ＭＣＣＨの伝送速度が遅い場合には時間的に分けて送ることができる。
【００５６】
図５は、本発明の実施形態によるＵＴＲＡＮ(特に、ＲＮＣ)の動作を示すフローチャートである。すなわち、図５は、ＣＮから特定ＭＢＭＳに対するデータ伝送が開始されるというセッションスタート(Session Start)メッセージを受信した場合、本発明で提案するＭＣＣＨの制御情報メッセージを伝送する動作の流れを示す図である。
【００５７】
図５によれば、段階Ｓ５０１において、ＵＴＲＡＮは、ＵＥの移動性を支援するために、MBMS Common RB Infoメッセージ及びMBMS Service Listメッセージを伝送する。段階Ｓ５０２において、ＵＴＲＡＮは、ＣＮからＭＢＭＳに対するセッションスタートメッセージを受信する場合、段階Ｓ５０３に進行する。一方、ＣＮからＭＢＭＳに対するセッションスタートメッセージを受信しない場合、ＵＴＲＡＮは段階Ｓ５０１に戻る。段階Ｓ５０３において、ＵＴＲＡＮは、現在フレームが新しいＭＰの開始時点か否かを判別する。現在フレームが新しいＭＰの開始時点でない場合、ＵＴＲＡＮは段階Ｓ５０４において新しいＭＰの開始時点まで待機する。ＵＴＲＡＮは、段階Ｓ５０３において、新しいＭＰの開始時点になったことを認知する場合、段階Ｓ５０５において、ＭＢＭＳに対して受信したセッションスタートメッセージに基づき、MBMS Notification Info.メッセージ及びMBMS Service PtM RB Info.メッセージを設定する。MBMS Notification Info.メッセージ及びMBMS Service PtM RB Info.メッセージの内容は、本発明で提案した表３及び表６に示した。段階Ｓ５０５は、段階Ｓ５０３の以前にも可能であるが、図５では段階Ｓ５０３の以後に仮定した。
【００５８】
認知した新しいＭＰの開始時点である場合、ＵＴＲＡＮは、段階Ｓ５０６において、MBMS Notification Infoメッセージ、 MBMS Service PtM RB Info.メッセージ、MBMS Common RB Info.メッセージ及びMBMS Service Listメッセージを伝送する。MBMS Common RB Info.メッセージ及びMBMS Service Listメッセージは、本発明で提案した表４及び表５に示した。MBMS Common RB Info.メッセージは、現在の伝送時点ではMBMS Notification Info.メッセージが示す新しいＭＢＭＳに関する変更事項を含んでいないが、ＭＢＭＳがサービスされる時点では当該変更事項を含んで伝送されることができる。MBMS Service Listメッセージは、MBMS Notification Info.メッセージが示すＭＢＭＳが、現在セル内で提供されているか否かを示す。ＵＴＲＡＮは、段階Ｓ５０７において、ＭＢＭＳデータの伝送形態を決定するためにカウンティングが必要か否かを判別して、カウンティングが不要である場合には段階Ｓ５０９に進行し、カウントが必要である場合には段階Ｓ５０８に進行する。ＵＴＲＡＮは、段階Ｓ５０８において、新しいＡＩＰ又はＲＰの開始時点でMBMS Notification Info.メッセージを再伝送した後、段階Ｓ５０９に進行する。MBMS Notification Info.メッセージには、段階Ｓ５０６において伝送された値とは異なるＲＡＣＨ接近確率値が設定され得る。
【００５９】
ＵＴＲＡＮは、段階Ｓ５０９において、新しいＲＰの開始時点でMBMS Notification Info.メッセージ、MBMS Service PtM RB Info.メッセージ、MBMS Common RB Info.メッセージ及びMBMS Service Listメッセージを再伝送する。ＵＴＲＡＮは、段階Ｓ５１０において新しいＭＰの開始時点か否かを判断して、新しいＭＰの開始時点である場合には段階Ｓ５１１に進行し、新しいＭＰが開始時点でない場合には段階Ｓ５０９に戻る。
【００６０】
ＵＴＲＡＮは、段階Ｓ５１１において、MBMS Notification Info.メッセージ、MBMS Service PtM RB Info.メッセージ、MBMS Common RB Info.メッセージ及びMBMS Service Listメッセージに変更すべきＩＥがあれば変更される。このとき、特にMBMS Common RB Info.メッセージの内容が変更される場合、該Common RB value tagの値を変更することになる。Common RB value tagの有効範囲は、セル内に限定されることもでき、同一のＭＢＭＳを伝送する複数のセルに定義されることもできる。有効範囲がセル内に限定される場合、Common RB value tagはセル内のＭＢＭＳに関連したＲＢ情報が変更される場合のみに変更され、有効範囲が複数のセルに定義される場合、Common RB value tagは周辺セルのＭＢＭＳに関連したＲＢ情報が変更される場合に変更される。ＵＴＲＡＮは、段階Ｓ５１２において、新しいＭＰの開始時点で制御情報メッセージを再伝送する。
【００６１】
図６〜図９は、本発明で提案するＭＣＣＨを介して伝送される４つの制御情報メッセージを受信したＵＥの動作の流れを示す図である。
図６は、本発明の実施形態によるMBMS Notification Info.メッセージを受信した場合のＵＥの動作を示すフローチャートである。
図６によれば、ＵＥは、段階Ｓ６０１において、MBMS Notification Info.メッセージが伝送されることを報知するＮＩ(Notification Indicator)をＭＩＣＨ(MBMS notification indication channel)を介して確認する。ＵＥは、段階Ｓ６０２において、ＮＩが、自身が加入したＭＢＭＳに対するMBMS Notification Info.メッセージが伝送されるという肯定ＮＩか否かを判別して、肯定ＮＩであれば段階Ｓ６０３に進行し、不正ＮＩであれば段階Ｓ６０１に戻る。
【００６２】
ＵＥは、段階Ｓ６０３において、現在フレームが新しいＭＰの開始時点か否かを判別する。新しいＭＰの開始時点は、ＭＢＭＳシステム情報を伝送できるＢＣＨを介して分かる。段階Ｓ６０３において、ＵＥが、新しいＭＰの開始時点であると認知すれば段階Ｓ６０５に進行し、でなければ段階Ｓ６０４に進行して、新しいＭＰの開始時点まで待機する。ＵＥは、段階Ｓ６０５においてＭＣＣＨを介してMBMS Notification Info.メッセージを受信し、段階Ｓ６０６において受信したMBMS Notification Info.メッセージが、ＵＥが加入したり、或いは、現在サービス中であるＭＢＭＳに対するものか否かを判別する。
【００６３】
ここで、ＵＥは、MBMS Notification Info.メッセージに含まれているIE MBMS service IDを介して段階Ｓ６０６を遂行する。受信されたMBMS Notification Info.メッセージが、ＵＥが加入したり、或いは、サービス中であるＭＢＭＳに対するNotification Info.メッセージでない場合には段階Ｓ６０１に戻り、そうでない場合には段階Ｓ６０７に進行して、MBMS Notification Info.メッセージに含まれているcause値を確認する。図６では、前述した表３による３つのcause値、すなわちCounting、PtM RB change、PtM RB releaseに対する動作が説明されているが、他のcause値が設定される場合、ＵＥはそれに従う該当動作を遂行することになる。ＵＥは、段階Ｓ６０８においてcountingが行われることを認知する場合、段階Ｓ６０９においてcounting関連作業を遂行し、段階Ｓ６１４に進行する。ここで、ＵＥはcountingが完了か否かに関係なく、段階Ｓ６１４を直ぐ遂行することができる。
【００６４】
一方、段階Ｓ６０８においてcountingが行われないことを認知する場合、段階Ｓ６１０においてPtM RB changeであることを認知する場合、段階Ｓ６１１においてPtM RB changeに必要な作業を遂行する。段階Ｓ６１０においてPtM RB changeでないことを認知する場合、ＵＥは、段階Ｓ６１２においてPtM RB releaseであることを認知して、段階Ｓ６１３においてPtM RB releaseに必要な作業を遂行する。
【００６５】
ここで、counting関連作業とは、countingのためにＲＲＣ連結を行ったり、或いはＰｔＭ連結を行う作業である。PtM RB changeとは、ＵＥにサービスされているＭＢＭＳのPtM RB Infoが変更されることを意味し、Common RB Info又はMBMS service PtM RB Infoを受信してＲＢ変更作業を遂行する。PtM RB release作業とは、ＵＥに提供されているＭＢＭＳのセッション終了などにより、現在のＲＢを継続維持する必要がなくなるため、現在のＲＢ情報を除去する作業である。
【００６６】
また、段階Ｓ６０８、段階Ｓ６１０及び段階Ｓ６１２の理由の何れも認知されない場合、ＵＥが加入したＭＢＭＳに対するセッションがcounting作業無しに開始されることを意味する。よって、ＵＥは、段階Ｓ６１４〜段階Ｓ６１６の少なくとも一つの段階において、MBMS Notification Info.メッセージで必要なＩＥを確認することになる。
【００６７】
ＵＥは、段階Ｓ６１４においてIE continue MCCH readingを確認し、MBMS Notification Info.メッセージの以後に継続してＭＣＣＨを介して伝送される制御情報メッセージを受信すべきであるか否かを確認する。ＵＥは、段階Ｓ６１５においてIE Common RB value tagを確認し、Common RB Infoを再受信すべきであるか否かを確認する。また、ＵＥは、段階Ｓ６１６においてIE Scheduling Infoを確認し、MBMS service PtM RB Info.メッセージ又はMBMS Common RB Info.メッセージの終了時点を認知する。すなわち、IE Scheduling Infoを使用することにより、ＵＥはMBMS service PtM RB Info.メッセージ及びMBMS Common RB Info.メッセージの受信終了時点を正確に認知できるため、不要にＭＣＣＨを継続して受信する必要がない。ＵＥは、MBMS Notification Info.メッセージの全てのＩＥを確認した後、段階Ｓ６１７において必要な関連作業を遂行することになる。ここで、必要な関連作業とは、後続する制御情報メッセージを受信したり、必要な情報を格納したりする動作を意味する。
【００６８】
図７は、本発明の実施形態によるＵＥがMBMS service Listメッセージを受信する動作を示すフローチャートである。
図７によれば、段階Ｓ７０１において、新しいセルに移動したり、或いは、 MBMS Service Listメッセージを確認することが発生した場合、段階Ｓ７０２において、ＵＥは、現在フレームが新しいＲＰの開始時点か否かを判別する。現在フレームが新しいＲＰの開始時点である場合、ＵＥは、段階Ｓ７０４においてＭＣＣＨを介してMBMS Service Listメッセージを受信し、新しいＲＰの開始時点でない場合、段階Ｓ７０３において新しいＲＰの開始時点まで待機する。
【００６９】
ＵＥは、段階Ｓ７０５において受信したMBMS Service ListメッセージにＵＥが加入されたＭＢＭＳに対する識別子があるか否かを判別した後、ない場合には動作を終了する。段階Ｓ７０５においてＵＥが加入されたＭＢＭＳに対する識別子がある場合、ＵＥは、段階Ｓ７０６においてMBMS Service Listメッセージに含まれているIE Transfer modeにより、ＭＢＭＳ識別子に符合するＭＢＭＳの伝送形態がＰｔＭか否かを判別する。ＰｔＭである場合には段階Ｓ７０７に進行し、ＰｔＭでない場合には段階Ｓ７０８に進行する。ＵＥは、段階Ｓ７０７においてＵＥが加入されたＭＢＭＳ識別子に符合するMBMS Shortサービス識別子、すなわちＭＢＭＳ伝送識別子(MBMS Transmission Identity)を獲得し、段階Ｓ７１２に進行する。ＵＥは、段階Ｓ７０８においてIE Transfer modeにより、ＵＥが加入されたＭＢＭＳの伝送形態がＰｔＰか否かを判別して、ＰｔＰである場合には段階Ｓ７０９に進行し、ＰｔＰでない場合には段階Ｓ７１０に進行する。ＵＥは、段階Ｓ７０９においてＵＥが加入されたＭＢＭＳをＰｔＰでサービスされるための作業を遂行することになる。ＵＥは、段階Ｓ７１０においてIE Transfer modeにより、ＵＥが加入されたＭＢＭＳが提供されていないことを確認すれば、ＵＥが、段階Ｓ７１１において存在している現在セルでＵＥが加入されたＭＢＭＳを受けるための関連作業を遂行する。IE Transfer modeがPtMでも、PtPでも、no RBでもない場合、エラーと判断して段階Ｓ７１２に進行し得る。
【００７０】
段階Ｓ７１２〜段階Ｓ７１４の少なくとも一つの段階において、ＵＥは、MBMS Notification Info.メッセージで必要なＩＥを確認する。ＵＥは、段階Ｓ７１２においてMBMS Service Listメッセージに含まれているIE Preferred frequencyを確認して、ＵＥの加入されたＭＢＭＳがサービスされている周波数情報を獲得する。ＵＥは、段階Ｓ７１３においてIE continue MCCH reading確認して、後でＭＣＣＨを介して伝送される制御情報を継続して受信すべきであるか否かを認知する。また、ＵＥは、段階Ｓ７１４においてIE Common RB value tagを確認して、MBMS Common RB Info.メッセージを受信する必要があるか否かを認知する。ＵＥは、MBMS Service Listメッセージで獲得した情報に基づき、段階Ｓ７１５において必要な関連作業を遂行する。ここで、必要な関連作業とは、後続する制御情報メッセージを受信したり、必要な情報を格納したりする動作を意味する。
【００７１】
図８は、本発明の実施形態によるＵＥがMBMS Service PtM RB Infoメッセージを受信する動作を示すフローチャートである。
図８によれば、ＵＥは、段階Ｓ８０１においてＵＥが加入したＭＢＭＳに対するMBMS Notification Info.メッセージを受信した後、ＭＣＣＨを介してMBMS Service PtM RB Info.メッセージを受信する。ＵＥは、段階Ｓ８０２において MBMS Notification Info.メッセージで獲得したShort MBMS IDと、MBMS Service PtM RB Infoに含まれているIE Short MBMS IDとが同一か否かを判別して、同一でない場合には段階Ｓ８０４において他のMBMS Service PtM RB Info.メッセージを待つ。
【００７２】
一方、段階Ｓ８０２において両方のＩＤが同一である場合、これは、加入したＭＢＭＳに対するＲＢ情報がMBMS Service PtM RB Info.メッセージにあることを意味する。よって、ＵＥは、段階Ｓ８０３においてMBMS Service PtM RB Info.メッセージから、加入したＭＢＭＳのための現在セルのＲＢ情報を獲得する。ＵＥは、段階Ｓ８０５において加入したＭＢＭＳに対する周辺セルの情報があるか否かを判別する。このとき、加入したＭＢＭＳに対する周辺セルの情報がある場合には、段階Ｓ８０６において加入したＭＢＭＳに対する周辺セルの情報を獲得し、そうでない場合には、段階Ｓ８０７においてＭＢＭＳを受信するための作業を遂行する。ＵＥは、段階Ｓ８０６において別途のMBMS Neighbouring Cell PtM RB Info.メッセージを受信して周辺セルの情報を獲得する。また、段階Ｓ８０７のＭＢＭＳを受信するための作業とは、獲得したＲＢ情報に基づき、ＭＢＭＳを受信するためのＲＢ及び物理チャンネルを設定する動作を意味する。
【００７３】
図９は、本発明の実施形態によるＵＥがMBMS Common RB Info.メッセージを受信する動作を示すフローチャートである。
図９によれば、ＵＥは、段階Ｓ９０１においてMBMS Common RB Info.メッセージを受信する理由が発生したか否かを判別する。受信する理由の一例は、ＵＥが新しいセルに移動する場合、或いは、新しい周波数に移動する場合が該当する。段階Ｓ９０１においてMBMS common RB infoメッセージを受信する理由が発生した場合には段階Ｓ９０３に進行し、MBMS common RB Info.メッセージを受信する理由が発生しない場合には段階Ｓ９０２に進行する。
【００７４】
ＵＥは、段階Ｓ９０２においてＵＥが格納していたValue tagと、ＵＥが以前に受信した他の制御情報メッセージ内に含まれているvalue tagとの値が同一か否かを判別する。このとき、ＵＥは、両方のValue tagの値が同一である場合、段階Ｓ９０４において、MBMS Common RB Info.メッセージを受信せず、動作を終了する。
【００７５】
一方、ＵＥは、両方のValue tagの値が同一でない場合、段階Ｓ９０３においてＭＣＣＨを介してMBMS Common RB Info.メッセージを受信し、段階Ｓ９０４においてMBMS Common RB Info.メッセージ内のVale tagを新しく格納する。 ＵＥは、段階Ｓ９０６において、段階Ｓ９０３において受信したMBMS Common RB Info.メッセージに含まれているＲＢ情報を獲得した後、段階Ｓ９０７において MBMS Common RB Info.メッセージから、物理チャンネル情報及びトランスポートチャンネル情報を獲得する。受信したＲＢ情報、物理チャンネル及びトランスポートチャンネル情報は、ＵＥが当該ＭＢＭＳを受信するためにＲＢを設定する場合のために格納される。
【００７６】
なお、本発明の詳細な説明では具体的な実施形態について説明したが、本発明の要旨から逸脱しない範囲内で多様に変形できる。よって、本発明の範囲は、前述の実施形態に限定されるものではなく、特許請求の範囲の記載及びこれと均等なものに基づいて定められるべきである。
【図面の簡単な説明】
【００７７】
【図１】ＭＢＭＳを支援する第３世代の非同期移動通信システムのネットワーク構造を示す図である。
【図２】第３世代の移動通信ネットワークにおける無線接続ネットワークのプロトコル構造を示す図である。
【図３】第３世代の移動通信網におけるＭＣＣＨを介して伝送される制御情報の一例を示す図である。
【図４】本発明の実施形態による制御情報メッセージの伝送及びスケジュールリングに対する一例を示す図である。
【図５】本発明の実施形態による制御情報メッセージを伝送するためのＵＴＲＡＮ動作を示すフローチャートである。
【図６】本発明の実施形態によるNotification Info.メッセージを受信したＵＥの動作を示すフローチャートである。
【図７】本発明の実施形態によるMBMS Service Listメッセージを受信したＵＥの動作を示すフローチャートである。
【図８】本発明の実施形態によるMBMS Service PtM RB Info.メッセージを受信したＵＥの動作を示すフローチャートである。
【図９】本発明の実施形態によるMBMS Common RB Info.メッセージを受信したＵＥの動作を示すフローチャートである。
【図１】
2007533246.tif 000018
【図２】
2007533246.tif 000019
【図３】
2007533246.tif 000020
【図４】
2007533246.tif 000021
【図５】
2007533246.tif 000022
【図６】
2007533246.tif 000023
【図７】
2007533246.tif 000024
【図８】
2007533246.tif 000025
【図９】
2007533246.tif 000026
【国際調査報告】
2007533246.tif 000027
2007533246.tif 000028